(57)【要約】【課題】ＤＢＡ周期がＴＤＭ周期よりも長い場合であっても動的帯域割当に起因する余分な上りデータ伝送遅延の発生を回避し、さらに、ＤＢＡ周期を短くした場合や、おＬＴ配下のＯＮＵ数が増加した場合であっても、下り帯域利用効率の低下を低減する。【解決手段】各ＯＮＵから受信したＬＬＩＤ毎の上り帯域要求に基づいて、各ＬＬＩＤに割り当てる上り送信開始タイミングおよび上り送信データ量を計算する帯域割当量計算部３と、前記計算された上り送信開始タイミングおよび上り送信データ量、並びに接続中のＯＮＵの情報に基づいて、宛先ＬＬＩＤとしてブロードキャストＬＬＩＤを指定した単一のＧａｔｅメッセージを生成するＧａｔｅ信号生成部５と、前記単一のＧａｔｅメッセージを、ＤＢＡ周期毎に接続中のすべてのＯＮＵに送信する通知部９と、を備える。【選択図】図１
2015192221.tif 000002
【特許請求の範囲】
【請求項１】
ＰＯＮ（Passive Optical Network）システムに適用され、複数のＯＮＵ（Optical Network Unit）に対して、上り方向の通信帯域を割り当てるＯＬＴ（Optical Line Terminal）であって、
前記各ＯＮＵから受信したＬＬＩＤ（Logical Link ID）毎の上り帯域要求に基づいて、各ＬＬＩＤに割り当てる上り送信開始タイミングおよび上り送信データ量を計算する帯域割当量計算部と、
前記計算された上り送信開始タイミングおよび上り送信データ量、並びに接続中のＯＮＵの情報に基づいて、宛先ＬＬＩＤとしてブロードキャストＬＬＩＤを指定した単一のＧａｔｅメッセージを生成するＧａｔｅ信号生成部と、
前記単一のＧａｔｅメッセージを、ＤＢＡ（Dynamic Bandwidth Allocation）周期毎に接続中のすべてのＯＮＵに送信する通知部と、を備えることを特徴とするＯＬＴ。
【請求項２】
配下のＯＮＵ数をＮとし、各ＯＮＵが使用している論理リンク数をＭとし、１つの論理リンク数に対してＤＢＡ周期で割り当てられる送信スロット数をＫとしたときに、前記Ｇａｔｅ信号生成部は、前記単一のＧａｔｅメッセージにおいて、Ｎ×Ｍ×Ｋ個の上りデータ送信スロットを指定することを特徴とする請求項１記載のＯＬＴ。
【請求項３】
前記単一のＧａｔｅメッセージは、宛先アドレスがブロードキャストアドレスであり、ＩＥＥＥ８０２．３で規定されているＭＡＣ（Media Access Control）フレームフォーマットに準拠していることを特徴とする請求項１または請求項２記載のＯＬＴ。
【請求項４】
請求項１から請求項３のいずれかに記載のＯＬＴ（Optical Line Terminal）と、
複数のＯＮＵ（Optical Network Unit）と、
前記ＯＬＴおよび前記各ＯＮＵを接続する光ファイバと、から構成されることを特徴とするＰＯＮ（Passive Optical Network）システム。
【請求項５】
ＰＯＮ（Passive Optical Network）システムに適用され、複数のＯＮＵ（Optical Network Unit）に対して、上り方向の通信帯域を割り当てるＯＬＴ（Optical Line Terminal）のプログラムであって、
前記各ＯＮＵから受信したＬＬＩＤ（Logical Link ID）毎の上り帯域要求に基づいて、各ＬＬＩＤに割り当てる上り送信開始タイミングおよび上り送信データ量を計算する処理と、
前記計算された上り送信開始タイミングおよび上り送信データ量、並びに接続中のＯＮＵの情報に基づいて、宛先ＬＬＩＤとしてブロードキャストＬＬＩＤを指定した単一のＧａｔｅメッセージを生成する処理と、
前記単一のＧａｔｅメッセージを、ＤＢＡ（Dynamic Bandwidth Allocation）周期毎に接続中のすべてのＯＮＵに送信する処理と、の一連の処理を、コンピュータに実行させることを特徴とするプログラム。
【請求項６】
ＰＯＮ（Passive Optical Network）システムに適用され、複数のＯＮＵ（Optical Network Unit）に対して、上り方向の通信帯域を割り当てるＯＬＴ（Optical Line Terminal）の通信帯域割当方法であって、
前記各ＯＮＵから受信したＬＬＩＤ（Logical Link ID）毎の上り帯域要求に基づいて、各ＬＬＩＤに割り当てる上り送信開始タイミングおよび上り送信データ量を計算するステップと、
前記計算された上り送信開始タイミングおよび上り送信データ量、並びに接続中のＯＮＵの情報に基づいて、宛先ＬＬＩＤとしてブロードキャストＬＬＩＤを指定した単一のＧａｔｅメッセージを生成するステップと、
前記単一のＧａｔｅメッセージを、ＤＢＡ（Dynamic Bandwidth Allocation）周期毎に接続中のすべてのＯＮＵに送信するステップと、を少なくとも含むことを特徴とする通信帯域割当方法。
【発明の詳細な説明】
【技術分野】
【０００１】
本発明は、受動光網（PON :Passive Optical Network）システムを構成する加入者側終端装置（ONU :Optical Network Unit）に上り方向の通信帯域を割り当てる技術に関する。
【背景技術】
【０００２】
従来から、複数の加入者接続装置が光伝送回線を共有する受動光網（PON :Passive Optical Network）システム（以下、「ＰＯＮシステム」と呼称する。）が知られている。図４は、ＰＯＮシステムの概要を示す図である。ＯＬＴ（Optical Line Terminal）と各ＯＮＵ（Optical Network Unit）−１〜ＯＮＵ−３とが光ファイバで接続されている。下りであるＤｏｎｗｓｔｒｅａｍでは、宛先アドレスを付けたパケットが、時分割方式でＯＬＴから分岐装置を経て各ＯＮＵに送信される。各ＯＮＵは、宛先アドレスを認識して、自装置宛てのパケットのみを抽出する。
【０００３】
一方、上りであるＵｐｓｔｒｅａｍでは、各ＯＮＵから送信されたパケットが分岐装置で束ねられてＯＬＴに到達する。ここで、各ＯＮＵがランダムにパケットを送信すると、パケットが衝突し、通信に支障をきたしてしまうため、ＯＬＴが、各ＯＮＵに対してパケットの送信タイミングを制御し、パケットの衝突を回避している。
【０００４】
図５は、従来のＰＯＮシステムの動作例を示すシーケンスチャートである。ＯＬＴは、ＤＢＡ（Dynamic Bandwidth Allocation）周期で、ＯＮＵの送信タイミングを通知するＧａｔｅメッセージを各ＯＮＵに送信する。まず、ＯＬＴがＧａｔｅメッセージをＯＮＵに送信すると（ステップＴ１）、ＯＮＵは、Ｒｅｐｏｒｔメッセージを送信する（ステップＴ２）。最初はＯＮＵには上りデータが届いていないため、特に意味のあるＲｅｐｏｒｔではない。次に、ＯＬＴがＧａｔｅメッセージを送信し（ステップＴ３）、ＯＮＵが上りデータを送信する通知を行なうＲｅｐｏｒｔを送信すると（ステップＴ４）、ＯＬＴは、その上りデータに関する制御情報を含むＧａｔｅメッセージを送信する（ステップＴ５）。ＯＮＵは、そのＧａｔｅメッセージに従って、上りデータを送信し（ステップＴ６）、Ｒｅｐｏｒｔメッセージを送信する（ステップＴ７）。このように、ＯＬＴとＯＮＵとの間で、ＧａｔｅメッセージおよびＲｅｐｏｒｔメッセージを送受信することによって、上り（Upstream）におけるパケットの衝突を回避している。
【０００５】
例えば、特許文献１には、ＰＯＮシステムにおける通信遅延を緩和する技術が開示されている。この技術は、一部のＯＮＵからの上り通信遅延を短縮するため、ＯＬＴが配下のＯＮＵに対して帯域を割り当てる際に、当該一部のＯＮＵに対して、毎回少なくともある一定の固定帯域を確実に割り当てる構成を採っている。
【先行技術文献】
【特許文献】
【０００６】
【特許文献１】特開２０１１−１４６７８０号公報
【発明の概要】
【発明が解決しようとする課題】
【０００７】
しかしながら、従来の技術では、ＤＢＡ（Dynamic Bandwidth Allocation）周期がＴＤＭ（Time Division Multiplexing）周期よりも長い場合は、動的帯域割当に起因する余分な上りデータ伝送遅延が発生していた。すなわち、図５に示すように、ステップＴ２において、ＯＮＵがＯＬＴに対してＲｅｐｏｒｔメッセージを送信した直後に上りデータ信号を受信した場合、次にその上りデータを送信する要求を含むＲｅｐｏｒｔメッセージを送信するまでに時間を要し、また、ＯＬＴからそのＲｅｐｏｒｔメッセージに対するＧａｔｅメッセージを受信して、そのＧａｔｅメッセージに従って上りデータを送信するまでに時間を要してしまっていた。
【０００８】
このような“Latencyの発生”は、特許文献１に開示されている技術でも発生してしまう。すなわち、図６に示すように、ＯＮＵにおいて、固定帯域割当による送信タイミングがあったとしても、その送信タイミングの終了直後にＯＮＵに上りデータ信号（Data #2）を受信した場合は、次の送信タイミングまで間隔が空いてしまうこととなり、“Latency”が発生する。
【０００９】
また、従来の技術では、宛先ＬＬＩＤ（Logical Link ID／論理リンク識別子）として、ユニキャストＬＬＩＤを指定していたため、Ｇｒａｎｔ周期ごとに論理リンク数の数だけＧａｔｅメッセージを送信する必要があった。例えば、ＯＬＴ配下にＮ台のＯＮＵが接続されており、各ＯＮＵがＭ個の論理リンクを使用している場合、図７および図８に示すように、ＩＥＥＥ８０２．３フレームのＰｒｅａｍｂｌｅ、ＳＦＤ（Start Frame Delimiter）、宛先ドレス、ソースアドレス等を含むＧａｔｅメッセージをＧｒａｎｔ周期毎にＮ×Ｍ個送信する必要があった。図７に示す例では、１つのＧａｔｅメッセージで最大４つの上りデータ送信スロットを指定していた。このため、ＤＢＡ周期を短くするほど、または、ＯＬＴ配下のＯＮＵ数が増加するほど下り帯域利用効率が低下してしまっていた。
【００１０】
本発明は、このような事情に鑑みてなされたものであり、ＤＢＡ周期がＴＤＭ周期よりも長い場合であっても動的帯域割当に起因する余分な上りデータ伝送遅延の発生を回避し、さらに、ＤＢＡ周期を短くした場合や、おＬＴ配下のＯＮＵ数が増加した場合であっても、下り帯域利用効率の低下を低減することができるＯＬＴ、ＰＯＮシステム、プログラムおよび通信帯域割当方法を提供することを目的とする。
【課題を解決するための手段】
【００１１】
（１）上記の目的を達成するために、本発明は、以下のような手段を講じた。すなわち、本発明のＯＬＴは、ＰＯＮ（Passive Optical Network）システムに適用され、複数のＯＮＵ（Optical Network Unit）に対して、上り方向の通信帯域を割り当てるＯＬＴ（Optical Line Terminal）であって、前記各ＯＮＵから受信したＬＬＩＤ（Logical Link ID）毎の上り帯域要求に基づいて、各ＬＬＩＤに割り当てる上り送信開始タイミングおよび上り送信データ量を計算する帯域割当量計算部と、前記計算された上り送信開始タイミングおよび上り送信データ量、並びに接続中のＯＮＵの情報に基づいて、宛先ＬＬＩＤとしてブロードキャストＬＬＩＤを指定した単一のＧａｔｅメッセージを生成するＧａｔｅ信号生成部と、前記単一のＧａｔｅメッセージを、ＤＢＡ（Dynamic Bandwidth Allocation）周期毎に接続中のすべてのＯＮＵに送信する通知部と、を備えることを特徴とする。
【００１２】
このように、宛先ＬＬＩＤとしてブロードキャストＬＬＩＤを指定した単一のＧａｔｅメッセージを生成し、単一のＧａｔｅメッセージを、ＤＢＡ周期毎に接続中のすべてのＯＮＵに送信するので、ＤＢＡ周期がＴＤＭ周期よりも長い場合であっても動的帯域割当に起因する余分な上りデータ伝送遅延の発生を回避し、さらに、ＤＢＡ周期を短くした場合や、ＯＬＴ配下のＯＮＵ数が増加した場合であっても、下り帯域利用効率の低下を低減することが可能となる。
【００１３】
（２）また、本発明のＯＬＴは、配下のＯＮＵ数をＮとし、各ＯＮＵが使用している論理リンク数をＭとし、１つの論理リンク数に対してＤＢＡ周期で割り当てられる送信スロット数をＫとしたときに、前記Ｇａｔｅ信号生成部は、前記単一のＧａｔｅメッセージにおいて、Ｎ×Ｍ×Ｋ個の上りデータ送信スロットを指定することを特徴とする。
【００１４】
このように、単一のＧａｔｅメッセージにおいて、Ｎ×Ｍ×Ｋ個の上りデータ送信スロットを指定するので、従来の技術のように、上りデータ送信スロットの指定を何度も行なう必要がなく、１回で指定することが可能となる。
【００１５】
（３）また、本発明のＯＬＴは、前記単一のＧａｔｅメッセージは、宛先アドレスがブロードキャストアドレスであり、ＩＥＥＥ８０２．３で規定されているＭＡＣ（Media Access Control）フレームフォーマットに準拠していることを特徴とする。
【００１６】
このように、単一のＧａｔｅメッセージは、宛先アドレスがブロードキャストアドレスであり、ＩＥＥＥ８０２．３で規定されているＭＡＣ（Media Access Control）フレームフォーマットに準拠しているので、従来のハードウェア構成に変更を加えることなく、ソフトウェアの更新のみで本発明を実施することが可能となる。
【００１７】
（４）また、本発明のＰＯＮシステムは、上記（１）から（３）のいずれかに記載のＯＬＴ（Optical Line Terminal）と、複数のＯＮＵ（Optical Network Unit）と、前記ＯＬＴおよび前記各ＯＮＵを接続する光ファイバと、から構成されることを特徴とする。
【００１８】
この構成により、宛先ＬＬＩＤとしてブロードキャストＬＬＩＤを指定した単一のＧａｔｅメッセージを生成し、単一のＧａｔｅメッセージを、Ｇｒａｎｔ周期毎に接続中のすべてのＯＮＵに送信するので、ＤＢＡ周期がＴＤＭ周期よりも長い場合であっても動的帯域割当に起因する余分な上りデータ伝送遅延の発生を回避し、さらに、ＤＢＡ周期を短くした場合や、ＯＬＴ配下のＯＮＵ数が増加した場合であっても、下り帯域利用効率の低下を低減することが可能となる。
【００１９】
（５）また、本発明のプログラムは、ＰＯＮ（Passive Optical Network）システムに適用され、複数のＯＮＵ（Optical Network Unit）に対して、上り方向の通信帯域を割り当てるＯＬＴ（Optical Line Terminal）のプログラムであって、前記各ＯＮＵから受信したＬＬＩＤ（Logical Link ID）毎の上り帯域要求に基づいて、各ＬＬＩＤに割り当てる上り送信開始タイミングおよび上り送信データ量を計算する処理と、前記計算された上り送信開始タイミングおよび上り送信データ量、並びに接続中のＯＮＵの情報に基づいて、宛先ＬＬＩＤとしてブロードキャストＬＬＩＤを指定した単一のＧａｔｅメッセージを生成する処理と、前記単一のＧａｔｅメッセージを、ＤＢＡ（Dynamic Bandwidth Allocation）周期毎に接続中のすべてのＯＮＵに送信する処理と、の一連の処理を、コンピュータに実行させることを特徴とする。
【００２０】
このように、宛先ＬＬＩＤとしてブロードキャストＬＬＩＤを指定した単一のＧａｔｅメッセージを生成し、単一のＧａｔｅメッセージを、ＤＢＡ周期毎に接続中のすべてのＯＮＵに送信するので、ＤＢＡ周期がＴＤＭ周期よりも長い場合であっても動的帯域割当に起因する余分な上りデータ伝送遅延の発生を回避し、さらに、ＤＢＡ周期を短くした場合や、ＯＬＴ配下のＯＮＵ数が増加した場合であっても、下り帯域利用効率の低下を低減することが可能となる。
【００２１】
（６）また、本発明の通信帯域割当方法は、ＰＯＮ（Passive Optical Network）システムに適用され、複数のＯＮＵ（Optical Network Unit）に対して、上り方向の通信帯域を割り当てるＯＬＴ（Optical Line Terminal）の通信帯域割当方法であって、前記各ＯＮＵから受信したＬＬＩＤ（Logical Link ID）毎の上り帯域要求に基づいて、各ＬＬＩＤに割り当てる上り送信開始タイミングおよび上り送信データ量を計算するステップと、前記計算された上り送信開始タイミングおよび上り送信データ量、並びに接続中のＯＮＵの情報に基づいて、宛先ＬＬＩＤとしてブロードキャストＬＬＩＤを指定した単一のＧａｔｅメッセージを生成するステップと、前記単一のＧａｔｅメッセージを、ＤＢＡ周期毎に接続中のすべてのＯＮＵに送信するステップと、を少なくとも含むことを特徴とする。
【００２２】
このように、宛先ＬＬＩＤとしてブロードキャストＬＬＩＤを指定した単一のＧａｔｅメッセージを生成し、単一のＧａｔｅメッセージを、ＤＢＡ周期毎に接続中のすべてのＯＮＵに送信するので、ＤＢＡ周期がＴＤＭ周期よりも長い場合であっても動的帯域割当に起因する余分な上りデータ伝送遅延の発生を回避し、さらに、ＤＢＡ周期を短くした場合や、ＯＬＴ配下のＯＮＵ数が増加した場合であっても、下り帯域利用効率の低下を低減することが可能となる。
【発明の効果】
【００２３】
本発明によれば、ＤＢＡ周期がＴＤＭ周期よりも長い場合であっても動的帯域割当に起因する余分な上りデータ伝送遅延の発生を回避し、さらに、ＤＢＡ周期を短くした場合や、ＯＬＴ配下のＯＮＵ数が増加した場合であっても、下り帯域利用効率の低下を低減することが可能となる。
【図面の簡単な説明】
【００２４】
【図１】本実施形態のＴＤＭ−ＰＯＮシステムに適用されるＯＬＴの概略構成を示すブロック図である。
【図２】本実施形態に係るＧａｔｅ信号生成部の動作を示すフローチャートである。
【図３】Ｇａｔｅ信号生成部により生成されたＧａｔｅメッセージの一例を示す図である。
【図４】ＰＯＮシステムの概要を示す図である。
【図５】従来のＰＯＮシステムの動作例を示すシーケンスチャートである。
【図６】従来のＰＯＮシステムの動作例を示すシーケンスチャートである。
【図７】従来のＧａｔｅメッセージフォーマットを示す図である。
【図８】ＩＥＥＥ８０２．３  ＭＡＣフレームフォーマットを示すである。
【発明を実施するための形態】
【００２５】
本発明者らは、ＤＢＡ周期がＴＤＭ周期よりも長い場合は、動的帯域割当に起因する余分な上りデータ伝送遅延が発生することに着目し、また、ＤＢＡ周期を短くした場合や、ＯＬＴ配下のＯＮＵ数が増加した場合は、下り帯域利用効率が低下することに着目し、Ｇａｔｅメッセージを書き換えて全ＯＮＵに対して一律の内容とし、これを同報配信することによって、余分な上りデータ伝送遅延の発生や下り帯域利用効率の低下を回避することができることを見出し、本発明をするに至った。
【００２６】
すなわち、本発明のＯＬＴは、ＰＯＮ（Passive Optical Network）システムに適用され、複数のＯＮＵ（Optical Network Unit）に対して、上り方向の通信帯域を割り当てるＯＬＴ（Optical Line Terminal）であって、前記各ＯＮＵから受信したＬＬＩＤ（Logical Link ID）毎の上り帯域要求に基づいて、各ＬＬＩＤに割り当てる上り送信開始タイミングおよび上り送信データ量を計算する帯域割当量計算部と、前記計算された上り送信開始タイミングおよび上り送信データ量、並びに接続中のＯＮＵの情報に基づいて、宛先ＬＬＩＤとしてブロードキャストＬＬＩＤを指定した単一のＧａｔｅメッセージを生成するＧａｔｅ信号生成部と、前記単一のＧａｔｅメッセージを、ＤＢＡ周期毎に接続中のすべてのＯＮＵに送信する通知部と、を備えることを特徴とする。
【００２７】
これにより、本発明者らは、ＤＢＡ周期がＴＤＭ周期よりも長い場合であっても動的帯域割当に起因する余分な上りデータ伝送遅延の発生を回避し、さらに、ＤＢＡ周期を短くした場合や、ＯＬＴ配下のＯＮＵ数が増加した場合であっても、下り帯域利用効率の低下を低減することを可能とした。以下、本発明の実施形態について、図面を参照しながら具体的に説明する。
【００２８】
本実施形態では、宛先ＬＬＩＤとしてブロードキャストＬＬＩＤを指定することによって、ＯＬＴ配下の論理リンク数にかかわらずＧｒａｎｔ周期ごとに１つのＧａｔｅメッセージを送信する。これにより、従来Ｇｒａｎｔ周期毎にＮ×Ｍ回送信していたＩＥＥＥ８０２．３フレームのＰｒｅａｍｂｌｅ、ＳＦＤ、宛先ドレス、ソースアドレス等を１回で済ませることができるため、その分の下り帯域利用効率を向上することができる。
【００２９】
また、従来は、図＊５に示すように、１つのＧａｔｅメッセージで最大４つの上りデータ送信スロットを指定していたが、本実施形態では、１つのＧａｔｅメッセージでＮ×Ｍ×Ｋ個の上りデータ送信スロットを指定する。ここで、Ｋは、１つの論理リンクに対してＧｒａｎｔ周期で割り当てられる送信スロット数である。本実施形態では、“Ｋ＜４”とすることによって、従来の技術と比較して、動的帯域割当に起因する余分な上りデータ伝送遅延を削減することが可能となる。
【００３０】
図１は、本実施形態のＴＤＭ−ＰＯＮシステムに適用されるＯＬＴの概略構成を示すブロック図である。ＯＬＴ１０において、帯域要求抽出部１は、各ＯＮＵからのＲｅｐｏｒｔ信号から、当該ＯＮＵが用いているＬＬＩＤ毎の上り帯域要求情報を抽出する。帯域割当量計算部３は、当該上り帯域要求情報に基づいて、各ＬＬＩＤに割り当てる上り送信開始タイミングおよび上り送信データ量を計算する。接続中ＯＮＵデータベース（ＤＢ）１１には、ＯＬＴ配下に接続されているＯＮＵの情報（ＯＮＵ番号、および各ＯＮＵが使用しているＬＬＩＤ値）が記録される。
【００３１】
Ｇａｔｅ信号生成部５は、帯域割当量計算部３の出力と、接続中ＯＮＵ  ＤＢ１１の情報に基づいて、Ｇａｔｅメッセージを生成する。メモリ７は、Ｇａｔｅ信号生成部５における処理中の情報を一時的に保存する。通知部９は、Ｇａｔｅ信号生成部５で生成されたＧａｔｅメッセージを配下のＯＮＵに通知する。
【００３２】
図２は、本実施形態に係るＧａｔｅ信号生成部の動作を示すフローチャートである。また、図３は、Ｇａｔｅ信号生成部により生成されたＧａｔｅメッセージの一例を示す図である。まず、Ｇａｔｅ信号生成部は、メモリを初期化し（ステップＳ１）、「Destination Address=ブロードキャストアドレス」として、「Destination Address〜Number of grants」までをメモリに書き込む（ステップＳ２）。次に、「i=1」とし（ステップＳ３）、「j=1」とする（ステップＳ４）。次に、「Target LLID = ONU#1におけるj番目のLLID」としてメモリに追加書き込みをする（ステップＳ５）。そして、帯域割当量計算部の結果から、「Grant #j Start time」および「Grant #j Length」をメモリに追加書き込みをする（ステップＳ６）。
【００３３】
次に、「j=ONU当たりのLLID数（M）」であるかどうかを判断し（ステップＳ７）、「j=ONU当たりのLLID数（M）」でない場合は、「j=j+1」として（ステップＳ８）、ステップＳ５に遷移する。一方、ステップＳ７において、「j=ONU当たりのLLID数（M）」である場合は、「i=接続中のONU数（N）」であるかどうかを判断し（ステップＳ９）、「i=接続中のONU数（N）」でない場合は、「i=i+1」として（ステップＳ１０）、ステップＳ４に遷移する。一方、ステップＳ９において、「i=接続中のONU数（N）」である場合は、「Pad/Reserved」をメモリに追加書き込みし（ステップＳ１１）、ＦＣＳ値を計算し、メモリに追加書き込みし（ステップＳ１２）、メモリの内容をＧａｔｅメッセージとし、ＳＰＤ〜ＦＣＳを先頭に付与してＩＥＥＥ８０２．３  ＭＡＣフレーム化（LLID=ブロードキャストLLID値）して（ステップＳ１３）、終了する。
【００３４】
これにより、図３に示すようなＧｅｔｅメッセージが生成される。これをＯＬＴから各ＯＮＵに同報配信することによって、一回の通知で済ませることが可能となる。その結果、上りにおけるデータ送信での“Latency”の発生を回避すると共に、プリアンブルを何度も送信する必要が無くなるため、下り帯域利用の効率化を図ることが可能となる。
【符号の説明】
【００３５】
１  帯域要求抽出部
３  帯域割当量計算部
５  Ｇａｔｅ信号生成部
７  メモリ
９  通知部
１０  ＯＬＴ
１１  接続中ＯＮＵデータベース
【図１】
2015192221.tif 000003
【図２】
2015192221.tif 000004
【図３】
2015192221.tif 000005
【図４】
2015192221.tif 000006
【図５】
2015192221.tif 000007
【図６】
2015192221.tif 000008
【図７】
2015192221.tif 000009
【図８】
2015192221.tif 000010